(57)【要約】【課題】傘等の物体をテーブル、壁、手すり等に強力に固定することができるようにする。【解決手段】吸盤１の凹面の中央に耐震ウレタンゲルパッド２が設けられ、吸盤１の凸面に形成された支持具５の貫通孔３に、固定具１４の一端に固定されたストラップ１１が固定具１４の他端に固着された取付紐１３が挿通されて固定され、支持具５の貫通孔４に端部が開閉可能なループ片２３と、ループ片２３の各端部に設けられ、各端部を適宜開閉可能に接合する開閉接合部２２とからなるループ固定具２１が挿通されて固定される。吸盤１は本来の吸着力と耐震ウレタンゲルパッド２の粘着力とによってテーブルや壁の表面に強力に吸着し、ストラップ１１を摺動可能に挟持する固定絞り１２を移動させてストラップ１１に固定した傘等の物体を固定する。また、ループ固定具２１は開閉接合部２２を開閉して手すり等に取り付けられ、傘等の物体を固定する。【選択図】図１
0003120176.tif 000002
【実用新案登録請求の範囲】
【請求項１】
壁等に吸着する吸盤と、
前記吸盤の凹面の中央に取り付けられた粘着体と、
前記吸盤の凸面に取り付けられた支持具と、
と
を備えることを特徴とする吸着ゲルフック。
【請求項２】
さらに、前記支持具に取り付けられる開閉可能な開閉接合部を有するループ固定具を
備えることを特徴とする請求項１に記載の吸着ゲルフック。
【請求項３】
前記粘着体は、耐震用に用いられる耐震ウレタンゲルパッドである
ことを特徴とする請求項１または２に記載の吸着ゲルフック。
【考案の詳細な説明】
【技術分野】
【０００１】
本考案は、吸着ゲルフックに関するもので、特に、吸盤の凹面側に耐震ウレタンゲルパッドを設け、吸盤が容易にはずれることがないようにした吸着ゲルフックに関する。
【背景技術】
【０００２】
従来、雨の日に外出し、喫茶店等の店の座席に座ったとき等には、傘を壁に立て掛けていた。また、傘の柄がＪ字状の形状をしている場合には、傘の柄をテーブルの端に掛けたり、椅子の背もたれに引っ掛けたりしていた。
【０００３】
しかし、このようにすると、傘に手や足がぶつかったとき、あるいは自然に、傘が倒れてしまうことがあり、傘が汚れてしまうという不都合があった。
【０００４】
そこで、紐の一端にベルトを設けそのベルトを傘の柄に巻き付け、一方、その紐の他端に吸盤を取り付け、その吸盤を壁、窓ガラス、テーブルの天板のような平滑な面に密着させて固定することにより、傘に何らかの外力が作用したとしても傘が容易に倒れないようにしたものがある（例えば、特許文献１参照）。
【特許文献１】特開２００３−２４１１５号公報
【考案の開示】
【考案が解決しようとする課題】
【０００５】
しかしながら、特許文献１に記載の発明では、吸盤を吸着させる対象によっては吸着力が十分に得られず、吸盤がはがれてしまう場合があった。また、電車の手すり等には取り付けることができないという問題があった。
【０００６】
本考案は、上述の課題に鑑み、吸盤の吸着力を高めるとともに、手すり等にも取り付けることができる吸着ゲルフックを提供することを目的とする。
【課題を解決するための手段】
【０００７】
上述した問題を解決するために、本考案に係る吸着ゲルフックは、壁等に吸着する吸盤と、吸盤の凹面の中央に取り付けられた粘着体と、吸盤の凸面に取り付けられた支持具とを備えることを特徴とする。
【０００８】
好ましくは、さらに、支持具に取り付けられる開閉可能な開閉接合部を有するループ固定具を備えるようにしたことを特徴とする。
【０００９】
好ましくは、粘着体は、耐震用に用いられる耐震ウレタンゲルパッドであるようにしたことを特徴とする。
【考案の効果】
【００１０】
本考案によれば、壁等に吸着する吸盤と、吸盤の凹面の中央に取り付けられた粘着体と、吸盤の凸面に取り付けられた支持具とを備えるようにしているので、吸盤の吸着力に粘着体の粘着力を加えて吸盤の吸着力を実質的に高め、物体をより確実に保持することができる。
【００１１】
また、本考案によれば、さらに、支持具に取り付けられる開閉可能な開閉接合部を有するループ固定具を備えるようにしているので、吸盤を吸着させることができない手すり等にぶら下げて物体を保持することができる。
【００１２】
また、本考案によれば、粘着体を耐震用に用いられる耐震ウレタンゲルパッドで構成するようにしているので、吸盤の吸着力に耐震ウレタンゲルパッドの強力な粘着力を加えて吸盤の吸着力を著しく高めることができる。
【考案を実施するための最良の形態】
【００１３】
以下、本考案の実施の形態について図面を参照しながら説明する。図１は、本考案の実施の形態の吸着ゲルフック１００の側面図である。図１に示すように、この吸着ゲルフック１００は、吸盤１と、吸盤１の凸面に形成された支持具５の貫通孔３に取付紐１３を介して取り付けられたストラップ１１と、支持具５の貫通孔４に取り付けられたループ固定具２１とから構成されている。
【００１４】
吸盤１の凹面の中央には、例えば、耐震用としても用いられる粘着性を有する耐震ウレタンゲルパッド２が取り付けられており、吸盤１の吸着性を高めるようになっている。
【００１５】
即ち、吸盤１を吸着させたい面に凸面から押し付けて凹面を変形させ、凹面とその面の間の空間にある空気の大部分を外部に押し出してほぼ真空状態にすると、凸面からの気圧によって吸盤１がその面に押圧され、吸着する。このとき、耐震ウレタンゲルパッド２がその面に粘着する。従って、吸盤１本来の吸着力に耐震ウレタンゲルパッド２の粘着力が加わり、吸盤１のみを用いたときよりも吸着力が高められる。吸盤１は表面がガラスのような光沢面では強力な接着力を有するが、表面が多少凸凹のある半光沢面では強力な接着力を有しない。一方、耐震ウレタンゲルパッド２は表面がガラスのような光沢面では吸着力が弱いが、表面が多少の凸凹のある半光沢面では強力な接着力を有する。したがって、本考案のように吸盤１と耐震ウレタンゲルパッド２を組み合わせることによって、それぞれの欠点を補足し、どのような表面でも強力な接着性を有することができる。
【００１６】
ストラップ１１は、両端が固定具１４の一端に固定されており、固定具１４の他端には取付紐１３の一端が固着され、その取付紐１３の他端は吸盤１の支持具５の貫通孔３に挿通されて固定されている。また、ストラップ１１には、ストラップ１１を摺動可能に挟持する固定絞り１２が取り付けられている。
【００１７】
ループ固定具２１は、変形自在なループ状のプラスチック若しくは金属等からなり、端部が開閉可能なループ片２３と、ループ片２３の各端部に設けられ、各端部を適宜開閉可能に接合する開閉接合部２２とから構成され、吸盤１の凸面に形成された支持具５の貫通孔４に挿通されている。
【００１８】
図２は、吸着ゲルフック１００の平面図を示している。図２に示すように、吸盤１の凹面の中央に耐震ウレタンゲルパッド２が取り付けられ、吸盤１の凸面の支持具５にストラップ１１が取付紐１３を介して取り付けられている。また、支持具５にはループ固定具２１も取り付けられている。
【００１９】
ストラップ１１は、両端が固定具１４によって固定されて輪（ループ）を形成しており、ストラップ１１には、ストラップ１１を摺動可能に挟持する固定絞り１２が取り付けられている。この固定絞り１２を移動させることにより、ストラップ１１が形成する輪の大きさを変えることができるようになっている。
【００２０】
図３は、吸着ゲルフック１００を用いて傘２００をテーブルに固定した状態を示している。まず、傘２００の柄をストラップ１１の輪に通し、固定絞り１２を輪が小さくなる方向に移動させ、ストラップ１１を傘２００の柄に固定させる。次に、吸盤１の凹面をテーブルの表面に当て、吸盤１の凸面に設けられた支持具５をテーブルの表面に向けて押圧する。
【００２１】
これにより、吸盤１が変形してテーブルの表面と凹面の間の空間にあった空気の大部分が外部に押し出され、ほぼ真空状態となって凹面とテーブルの表面の間の空間の気圧と吸盤１の外部の気圧との気圧差により吸盤１がテーブルの表面に押し付けられる状態が維持される。
【００２２】
さらに、吸盤１の凹面の中央に設けられた耐震ウレタンゲルパッド２もテーブルの表面に押し付けられ、テーブルの表面に粘着する。これにより、吸盤１の本来の吸着力に耐震ウレタンゲルパッド２の粘着力が加えられて、吸盤１の吸着力が高められる。
【００２３】
このように、吸着ゲルフック１００の吸着力が高められた吸盤１によって、傘２００をテーブルに強力に固定することができ、傘２００に人がぶつかるなどして力が加わった場合でも、従来よりは吸盤１がテーブルの表面からはずれることが抑制される。
【００２４】
図４は、吸着ゲルフック１００を用いて傘２００を壁に固定した状態を示している。図３に示したテーブルに固定する場合と同様に、まず、傘２００の柄をストラップ１１の輪に通し、固定絞り１２を輪が小さくなる方向に移動させ、吸着ゲルフック１００のストラップ１１を傘２００の柄に固定させる。次に、吸盤１の凹面を壁の表面に当て、吸盤１の凸面に設けられた支持具５を壁の表面に向けて押圧する。
【００２５】
これにより、吸盤１が変形して壁の表面と凹面の間の空間にあった空気の大部分が外部に押し出され、ほぼ真空状態となって凹面と壁の表面の間の空間の気圧と吸盤１の外部の気圧との気圧差により吸盤１が壁の表面に押し付けられる状態が維持される。
【００２６】
さらに、吸盤１の凹面の中央に設けられた耐震ウレタンゲルパッド２も壁の表面に押し付けられ、壁の表面に粘着する。これにより、吸盤１の本来の吸着力に耐震ウレタンゲルパッド２の粘着力が加えられて、吸盤１の吸着力が高められる。
【００２７】
このように、吸着ゲルフック１００の吸着力が高められた吸盤１によって、傘２００を壁に強力に固定することができ、傘２００に人がぶつかるなどして力が加わった場合でも、従来よりは吸盤１が壁の表面からはずれることが抑制される。
【００２８】
次に、図５に示すように、吸盤ゲルフック１００を用いて傘３００を電車内の手すり３０等にぶら下げたり固定したりする場合について説明する。図５（Ａ）は、吸盤ゲルフック１００のループ固定具２１を用いて、電車内の手すり３０に傘３００を固定した状態を示している。
【００２９】
図５（Ａ）に示すように、まず、傘３００の柄をストラップ１１の輪に通し、固定絞り１２を輪が小さくなる方向に移動させ、ストラップ１１を傘３００の柄に固定させる。次に、吸盤１に設けられたループ固定具２１を手すり３０に取り付ける。これにより、傘３００を吸着ゲルフック１００を介して手すり３０に固定し、傘３００が倒れることがないようにすることができる。
【００３０】
図５（Ｂ）は、ループ固定具２１を手すり３０に取り付ける方法を示している。まず、ループ固定具２１を構成する各ループ片２３の開閉接合部２２同士を矢印のように離間させ、手すり３０を通過させ、手すり３０が２つのループ片２３の内側に入った状態で開閉接合部２２同士を接合させる。このようにして、ループ固定具２１を手すり３０に取り付け、はずれないようにすることができる。この開閉接合部２２は、例えば、Ｎ極とＳ極が対向するようにした磁石、あるいは、一方を鉄等の磁性体、他方を磁石で構成し、互いに磁力で接合するようにすることもできる。
【００３１】
以上説明したように、本考案は、吸盤１の凹面の中央に耐震用の耐震ウレタンゲルパッド２等の粘着性を有する粘着部材を設けるようにしたので、吸盤１の吸着力に耐震ウレタンゲルパッド２の粘着力を加えて従来より吸盤１の吸着力を実質的に高めることができる。これにより、吸盤１に接続されたストラップ１１に固定した傘２００や傘３００等の物体を強力にテーブルや壁等の平らな表面に固定することができる。
【００３２】
また、壁やテーブル等の平らな表面がない電車内等でも、手すり３０等に吸盤１の支持具５にループ固定具２１を取り付け、支持具５に接続されたストラップ１１に固定した傘２００や傘３００等の物体を倒れたり落ちたりしないように固定することができる。
【００３３】
本考案は、上述した実施の形態に限定されるものではなく、この考案の要旨を逸脱しない範囲内で様々な変形や応用が可能である。
【産業上の利用可能性】
【００３４】
本考案は、傘に限らず様々な物体を様々な場所に強力に固定する吸着ゲルフックとして利用可能である。
【図面の簡単な説明】
【００３５】
【図１】本考案の実施の形態の側面図である。
【図２】本考案の実施の形態の平面図である。
【図３】本考案の実施の形態を用いて傘をテーブルに固定した状態を示す図である。
【図４】本考案の実施の形態を用いて傘を壁に固定した状態を示す図である。
【図５】本考案の実施の形態を用いて傘を手すりに固定した状態を示す図、およびループ固定具を手すりに取り付ける方法を示す図である。
【符号の説明】
【００３６】
１  吸盤
２  耐震ウレタンゲルパッド
３，４  貫通孔
５  支持具
１１  ストラップ
１２  固定絞り
１３  取付紐
１４  固定具
２１  ループ固定具
２２  開閉接合部
２３  ループ片
１００  吸着ゲルフック
２００，３００  傘（かさ）
【図１】
0003120176.tif 000003
【図２】
0003120176.tif 000004
【図３】
0003120176.tif 000005
【図４】
0003120176.tif 000006
【図５】
0003120176.tif 000007